(57)【要約】【課題】情報蓄積装置から異なる条件でジョブ一覧を取得し直すことができるジョブ処理装置、情報処理システム、ジョブ一覧表示方法及びプログラムを提供することを課題とする。【解決手段】ジョブ一覧を表示可能なジョブ処理装置であって、取得可能数及び条件を指定して１つ以上の情報蓄積装置から取得したジョブ一覧を表示する表示手段と、受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すジョブ一覧要求手段とを有することにより、上記課題を解決する。【選択図】図１
2015191651.tif 000002
【特許請求の範囲】
【請求項１】
ジョブ一覧を表示可能なジョブ処理装置であって、
取得可能数及び条件を指定して１つ以上の情報蓄積装置から取得したジョブ一覧を表示する表示手段と、
受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すジョブ一覧要求手段と
を有するジョブ処理装置。
【請求項２】
前記ジョブ一覧要求手段は、前記表示手段に表示されている複数の条件から１つの条件を指定するユーザ操作を受け付けると、選択された条件を指定して、前記１つ以上の情報蓄積装置に取得可能数のジョブ一覧を要求すること
を特徴とする請求項１記載のジョブ処理装置。
【請求項３】
前記ジョブ一覧要求手段は、ジョブ一覧の最後が前記表示手段に表示されている状態で続きのジョブ一覧を表示させるユーザ操作を受け付けると、前記表示手段に表示されているジョブ一覧と同じ条件を指定して、前記表示手段に表示されているジョブ一覧の続きを前記１つ以上の情報蓄積装置に取得可能数、要求すること
を特徴とする請求項１又は２記載のジョブ処理装置。
【請求項４】
前記表示手段に前記１つ以上の情報蓄積装置から取得した順番に表示されているジョブ一覧の全体を、指定した条件で整列し直す整列処理手段、を更に有すること
を特徴とする請求項１乃至３何れか一項記載のジョブ処理装置。
【請求項５】
前記表示手段に表示されている複数の条件は、前記１つ以上の情報蓄積装置が、蓄積しているジョブの中からジョブ一覧に含ませる取得可能数のジョブを選別する順序を変化させる条件であること
を特徴とする請求項１乃至４何れか一項記載のジョブ処理装置。
【請求項６】
前記表示手段に表示されている複数の条件は、前記１つ以上の情報蓄積装置が、蓄積しているジョブの中からジョブ一覧に含ませる取得可能数のジョブを選別する順序を昇順又は降順に変化させる条件であること
を特徴とする請求項５記載のジョブ処理装置。
【請求項７】
ジョブ処理装置とデータ通信可能に接続されたジョブ一覧を表示可能な情報表示装置であって、
取得可能数及び条件を指定して１つ以上の情報蓄積装置から取得したジョブ一覧を表示する表示手段と、
受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すジョブ一覧要求手段と
を有する情報表示装置。
【請求項８】
ジョブを蓄積する情報蓄積装置と、ジョブ一覧を表示可能なジョブ処理装置とがデータ通信可能に接続された情報処理システムであって、
取得可能数及び条件を指定して１つ以上の情報蓄積装置から取得したジョブ一覧を表示する表示手段と、
受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すジョブ一覧要求手段と、
前記１つ以上の情報蓄積装置のそれぞれにおいて、蓄積しているジョブの中からジョブ一覧に含ませる取得可能数のジョブを条件に従って選別するジョブ一覧選定手段と
を有する情報処理システム。
【請求項９】
ジョブを蓄積する情報蓄積装置と、ジョブ一覧を表示可能なジョブ処理装置とがデータ通信可能に接続された情報処理システムにおいて行われるジョブ一覧表示方法であって、
取得可能数及び条件を指定して１つ以上の情報蓄積装置から取得したジョブ一覧を表示手段に表示するステップと、
受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すステップと、
前記１つ以上の情報蓄積装置のそれぞれにおいて、蓄積しているジョブの中からジョブ一覧に含ませる取得可能数のジョブを条件に従って選別するステップと
を有するジョブ一覧表示方法。
【請求項１０】
ジョブ一覧を表示可能なジョブ処理装置を、
取得可能数及び条件を指定して１つ以上の情報蓄積装置から取得したジョブ一覧を表示する表示手段、
受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すジョブ一覧要求手段
として機能させるためのプログラム。
【請求項１１】
ジョブ処理装置とデータ通信可能に接続されたジョブ一覧を表示可能な情報表示装置を、
取得可能数及び条件を指定して１つ以上の情報蓄積装置から取得したジョブ一覧を表示する表示手段、
受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すジョブ一覧要求手段
として機能させるためのプログラム。
【発明の詳細な説明】
【技術分野】
【０００１】
本発明はジョブ処理装置、情報表示装置、情報処理システム、ジョブ一覧表示方法及びプログラムに関する。
【背景技術】
【０００２】
例えばクライアント装置からの印刷指示に係わる印刷ジョブをサーバに蓄積し、認証装置の認証に基づきサーバに蓄積された印刷ジョブを印刷装置で実行する印刷システムは従来から知られている。従来の印刷システムは、印刷許可の認証により印刷する権限のある印刷ジョブの一覧をサーバから取得し、表示手段に表示された印刷ジョブの一覧に基づき印刷する所望の印刷ジョブを選択させていた（例えば特許文献１参照）。
【発明の概要】
【発明が解決しようとする課題】
【０００３】
印刷ジョブなどのジョブを処理する画像形成装置などのジョブ処理装置はジョブを蓄積するサーバなどの情報蓄積装置からジョブの一覧（ジョブリスト）を取得するときの取得可能ジョブリスト数が設けられている場合がある。したがって、情報蓄積装置に蓄積されているジョブの数が取得可能ジョブリスト数を超えているとき、ジョブリストにはユーザの所望するジョブが含まれない場合があった。
【０００４】
本発明の実施の形態は、上記の点に鑑みなされたもので、情報蓄積装置から異なる条件でジョブ一覧を取得し直すことができるジョブ処理装置、情報処理システム、ジョブ一覧表示方法及びプログラムを提供することを目的とする。
【課題を解決するための手段】
【０００５】
上記の目的を達成するため、本願請求項１は、ジョブ一覧を表示可能なジョブ処理装置であって、取得可能数及び条件を指定して１つ以上の情報蓄積装置から取得したジョブ一覧を表示する表示手段と、受け付けたユーザ操作に応じて、前記表示手段に表示されているジョブ一覧と異なる条件を指定して前記１つ以上の情報蓄積装置に取得可能数のジョブ一覧を要求し、前記１つ以上の情報蓄積装置から異なる条件でジョブ一覧を取得し直すジョブ一覧要求手段とを有することを特徴とする。
【発明の効果】
【０００６】
本発明の実施の形態によれば情報蓄積装置から異なる条件でジョブ一覧を取得し直すことができる。
【図面の簡単な説明】
【０００７】
【図１】本実施形態に係る印刷システムの一例の構成図である。
【図２】本実施形態に係るコンピュータの一例のハードウェア構成図である。
【図３】本実施形態に係る画像形成装置の一例のハードウェア構成図である。
【図４】本実施形態に係るクライアント端末の一例の処理ブロック図である。
【図５】本実施形態に係る認証サーバ装置の一例の処理ブロック図である。
【図６】本実施形態に係る管理者端末の一例の処理ブロック図である。
【図７】本実施形態に係る画像形成装置の一例の処理ブロック図である。
【図８】本実施形態に係るプリントサーバ装置の一例の処理ブロック図である。
【図９】ユーザ認証情報の一例の構成図である。
【図１０】ジョブリスト表示情報の一例の構成図である。
【図１１】印刷ジョブ情報の一例の構成図である。
【図１２】印刷ジョブ情報の一例の構成図である。
【図１３】印刷ジョブ情報の一例の構成図である。
【図１４】印刷ジョブを蓄積するまでの処理の一例のシーケンス図である。
【図１５】ジョブリストを表示するまでの処理の一例のシーケンス図である。
【図１６】ジョブリスト画面の一例のイメージ図である。
【図１７】整列し直したジョブリスト画面の一例のイメージ図である。
【図１８】ジョブリストを取得し直して表示するまでの処理の一例のシーケンス図である。
【図１９】ジョブリスト画面の一例のイメージ図である。
【図２０】整列し直したジョブリスト画面の一例のイメージ図である。
【図２１】ジョブリスト画面の他の一例のイメージ図である。
【図２２】本実施形態に係る画像形成装置の他の例の処理ブロック図である。
【発明を実施するための形態】
【０００８】
次に、本発明の実施の形態について、詳細に説明する。本実施の形態では画像形成装置１４を含む構成の印刷システム１について説明するが、ジョブを処理するジョブ処理装置を含む構成の情報処理システムであればよい。
［第１の実施形態］
＜システム構成＞
図１は、本実施形態に係る印刷システムの一例の構成図である。印刷システム１はＬＡＮなどのネットワークＮ１を介して接続されたクライアント端末１１、認証サーバ装置１２、管理者端末１３、画像形成装置１４、プリントサーバ装置１５Ａ〜１５Ｃを有する構成である。
【０００９】
クライアント端末１１、認証サーバ装置１２、管理者端末１３、画像形成装置１４、プリントサーバ装置１５Ａ〜１５Ｃは無線又は有線による通信手段を有している。図１ではクライアント端末１１、認証サーバ装置１２、管理者端末１３、画像形成装置１４が１台である例を示しているが、複数台あってもよい。また、図１では３台のプリントサーバ装置１５Ａ〜１５Ｃの例を示しているが、３台以外であってもよい。
【００１０】
クライアント端末１１はユーザが利用する端末装置である。クライアント端末１１はスマートフォンや携帯電話、ＰＣなどの端末装置である。クライアント端末１１はプリントサーバ装置１５に対して印刷ジョブを送信する。
【００１１】
なお、本実施形態において印刷ジョブとは画像形成装置１４に印刷処理を行わせるために必要な情報である。例えば印刷ジョブは、印刷対象の電子データあるいは印刷対象の電子データを指定する情報（ＵＲＬなど）と、印刷条件（カラー／モノクロや片面／両面など）とを含む情報である。
【００１２】
認証サーバ装置１２は一台以上の情報処理装置によって実現される。認証サーバ装置１２はユーザ認証情報等の認証に関する情報を保有し、画像形成装置１４等からの要求に基づき認証を行う。管理者端末１３は管理者が利用する端末装置である。管理者端末１３はスマートフォンや携帯電話、ＰＣなどの端末装置である。
【００１３】
管理者端末１３は印刷システム１の認証サーバ装置１２、画像形成装置１４及びプリントサーバ装置１５Ａ〜１５Ｃの管理を行うための端末装置である。管理者端末１３はインストールされているアプリケーション等を利用して、認証サーバ装置１２、画像形成装置１４及びプリントサーバ装置１５Ａ〜１５Ｃに指示を与えることができる。
【００１４】
画像形成装置１４は、プリンタ、コピー機、複合機、レーザプリンタなどの出力装置である。画像形成装置１４は認証サーバ装置１２を利用してユーザ認証を行い、認証に成功したユーザのジョブリストや印刷ジョブをプリントサーバ装置１５Ａ〜１５Ｃから取得してジョブリストの表示や印刷を行う。
【００１５】
プリントサーバ装置１５Ａ〜１５Ｃは一台以上の情報処理装置により実現される。以下では、プリントサーバ装置１５Ａ〜１５Ｃのうちの何れでもよい場合に、プリントサーバ装置１５と総称する。プリントサーバ装置１５は、印刷ジョブを蓄積している。プリントサーバ装置１５は画像形成装置１４等からの要求に基づき、ジョブリストや印刷ジョブを画像形成装置１４等に送信する。なお、図１の印刷システム１の構成は一例であり、他の構成であってもよい。
【００１６】
＜ハードウェア構成＞
図１のクライアント端末１１、認証サーバ装置１２、管理者端末１３、プリントサーバ装置１５は、図２に示すハードウェア構成のコンピュータ等により実現される。図２は本実施形態に係るコンピュータの一例のハードウェア構成図である。
【００１７】
図２に示したコンピュータ５００は、入力装置５０１、表示装置５０２、外部Ｉ／Ｆ５０３、ＲＡＭ５０４、ＲＯＭ５０５、ＣＰＵ５０６、通信Ｉ／Ｆ５０７、及びＨＤＤ５０８などを備え、それぞれがバスＢで相互に接続されている。なお、入力装置５０１及び表示装置５０２は必要なときに接続して利用する形態であってもよい。
【００１８】
入力装置５０１はキーボード、マウス、タッチパネル等により実現され、コンピュータ５００に各操作信号を入力するのに用いられる。表示装置５０２はディスプレイ等により実現され、コンピュータ５００による処理結果を表示する。
【００１９】
通信Ｉ／Ｆ５０７はコンピュータ５００をネットワークＮ１に接続するインタフェースである。これにより、コンピュータ５００は通信Ｉ／Ｆ５０７を介してデータ通信を行うことができる。
【００２０】
また、ＨＤＤ５０８は、プログラムやデータを格納している不揮発性の記憶装置の一例である。格納されるプログラムやデータには、コンピュータ５００全体を制御する基本ソフトウェアであるＯＳ、及び、ＯＳ上において各種機能を提供するアプリケーションなどがある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２１】
外部Ｉ／Ｆ５０３は、外部装置とのインタフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００２２】
ＲＯＭ５０５は、電源を切ってもプログラムやデータを保持することができる不揮発性の半導体メモリ（記憶装置）の一例である。ＲＯＭ５０５には、コンピュータ５００の起動時に実行されるＢＩＯＳ、ＯＳ設定、及びネットワーク設定などのプログラムやデータが格納されている。ＲＡＭ５０４は、プログラムやデータを一時保持する揮発性の半導体メモリの一例である。
【００２３】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置の一例である。
【００２４】
本実施形態に係るクライアント端末１１、認証サーバ装置１２、管理者端末１３、プリントサーバ装置１５は、例えば上記ハードウェア構成のコンピュータ５００上でプログラムを実行することにより、各種処理を実現できる。
【００２５】
図１の画像形成装置１４は、例えば図３に示すようなハードウェア構成のコンピュータにより実現される。図３は本実施形態に係る画像形成装置の一例のハードウェア構成図である。図３に示した画像形成装置１４は、コントローラ６０１、操作パネル６０２、外部Ｉ／Ｆ６０３、通信Ｉ／Ｆ６０４、プリンタ６０５及びスキャナ６０６などを備える。
【００２６】
コントローラ６０１はＣＰＵ６１１、ＲＡＭ６１２、ＲＯＭ６１３、ＮＶＲＡＭ６１４及びＨＤＤ６１５などを備える。ＲＯＭ６１３は、各種プログラムやデータが格納されている。ＲＡＭ６１２はプログラムやデータを一時保持する。ＮＶＲＡＭ６１４は、例えば設定情報等が格納されている。また、ＨＤＤ６１５は各種プログラムやデータが格納されている。
【００２７】
ＣＰＵ６１１は、ＲＯＭ６１３やＮＶＲＡＭ６１４、ＨＤＤ６１５などからプログラムやデータ、設定情報等をＲＡＭ６１２上に読み出し、処理を実行することで、画像形成装置１４全体の制御や機能を実現する。
【００２８】
操作パネル６０２はユーザからの入力を受け付ける入力部と、表示を行う表示部とを備えている。外部Ｉ／Ｆ６０３は外部装置とのインタフェースである。外部装置には、記録媒体６０３ａなどがある。これにより、画像形成装置１４は外部Ｉ／Ｆ６０３を介して記録媒体６０３ａの読み取り及び／又は書き込みを行うことができる。記録媒体６０３ａにはＩＣカード、フレキシブルディスク、ＣＤ、ＤＶＤ、ＳＤメモリカード、ＵＳＢメモリ等がある。
【００２９】
通信Ｉ／Ｆ６０４は、画像形成装置１４をネットワークＮ１に接続するインタフェースである。これにより、画像形成装置１４は通信Ｉ／Ｆ６０４を介してデータ通信を行うことができる。プリンタ６０５は、印刷データを用紙に印刷するための印刷装置である。スキャナ６０６は原稿から画像データ（電子データ）を読み取るための読取装置である。
【００３０】
＜ソフトウェア構成＞
《クライアント端末》
本実施形態に係るクライアント端末１１は、例えば図４に示す処理ブロックにより実現される。図４は本実施形態に係るクライアント端末の一例の処理ブロック図である。クライアント端末１１はプログラムを実行することにより送信部２１を実現する。送信部２１はプリントサーバ装置１５にユーザ情報を含んだ印刷ジョブを送信する。なお、図４の処理ブロック図は本実施形態の説明に必要な処理ブロックを示したものであり、他の処理ブロックを有していてもよい。
【００３１】
《認証サーバ装置》
本実施形態に係る認証サーバ装置１２は、例えば図５に示す処理ブロックにより実現される。図５は本実施形態に係る認証サーバ装置の一例の処理ブロック図である。図５の認証サーバ装置１２はプログラムを実行することにより、送受信部３１、認証処理部３２及びユーザ認証情報記憶部３３を実現している。
【００３２】
送受信部３１は例えば画像形成装置１４からユーザ名、パスワードを受信し、認証の結果を画像形成装置１４に送信する。認証処理部３２はユーザ認証情報記憶部３３を利用して認証処理を行う。ユーザ認証情報記憶部３３は予めユーザ名、パスワードの組をユーザ認証情報として蓄積している。例えば認証処理部３２は、画像形成装置１４から受信したユーザ名、パスワードの組が、ユーザ認証情報記憶部３３にユーザ認証情報として蓄積されているときに認証成功と判定する。
【００３３】
《管理者端末》
本実施形態に係る管理者端末１３は、例えば図６に示すような処理ブロックにより実現される。図６は本実施形態に係る管理者端末の一例の処理ブロック図である。管理者端末１３はプログラムを実行することにより送信部４１、ジョブリスト表示情報設定部４２を実現している。
【００３４】
送信部４１は画像形成装置１４にジョブリスト取得可能数とジョブリスト表示順序設定情報とを画像形成装置１４に送信する。ジョブリスト表示情報設定部４２はジョブリスト取得可能数とジョブリスト表示順序設定情報との設定を管理者から受け付ける。なお、図６の処理ブロック図は本実施形態の説明に必要な処理ブロックを示したものであり、他の処理ブロックを有してもよい。
【００３５】
《画像形成装置》
本実施形態に係る画像形成装置１４は例えば図７に示すような処理ブロックにより実現される。図７は本実施形態に係る画像形成装置の一例の処理ブロック図である。画像形成装置１４はプログラムを実行することで送受信部５１、表示部５２、操作部５３、ジョブリスト表示情報設定部５４、認証要求部５５、ジョブリスト要求部５６、ジョブリスト整列処理部５７、出力部５８及びジョブリスト表示情報記憶部５９を実現している。
【００３６】
送受信部５１は管理者端末１３からジョブリスト取得可能数とジョブリスト表示順序設定情報とを受信する。表示部５２はプリントサーバ装置１５から受信したジョブリストを表示する。操作部５３はユーザ操作を受け付ける。ジョブリスト表示情報設定部５４は管理者端末１３から受信したジョブリスト取得可能数とジョブリスト表示順序設定情報とをジョブリスト表示情報記憶部５９に記憶させる。
【００３７】
認証要求部５５は認証サーバ装置１２にユーザ名、パスワードを送信し、ユーザ認証を要求する。ジョブリスト要求部５６は認証成功の認証結果を受けて、ジョブリスト取得可能数とジョブリスト表示順序設定情報とに基づいたジョブリストをプリントサーバ装置１５Ａ〜１５Ｃに要求する。
【００３８】
ジョブリスト整列処理部５７はプリントサーバ装置１５Ａ〜１５Ｃから受信したジョブリストを整列し直す。出力部５８はプリントサーバ装置１５から受信した印刷ジョブを処理する。ジョブリスト表示情報記憶部５９はジョブリスト取得可能数とジョブリスト表示順序設定情報とを記憶する。
【００３９】
《プリントサーバ装置》
本実施形態に係るプリントサーバ装置１５は例えば図８に示す処理ブロックにより実現される。図８は本実施形態に係るプリントサーバ装置の一例の処理ブロック図である。図８のプリントサーバ装置１５はプログラムを実行することにより、送受信部６１、ジョブリスト選定部６２、印刷ジョブ情報記憶部６３を実現している。
【００４０】
送受信部６１はジョブリスト選定部６２により選定されたジョブリストを画像形成装置１４に送信する。ジョブリスト選定部６２は受信したジョブリスト取得可能数とジョブリスト表示順序設定情報とに基づき、後述のようにジョブリスト取得可能数分のジョブリストを選定（選別）する。印刷ジョブ情報記憶部６３は、印刷ジョブの詳細情報である印刷ジョブ情報を記憶する。
【００４１】
《ユーザ認証情報記憶部に記憶されているユーザ認証情報》
図９はユーザ認証情報の一例の構成図である。図９のユーザ認証情報は認証サーバ装置１２のユーザ認証情報記憶部３３に記憶されている。図９のユーザ認証情報は、ユーザ認証情報記憶部３３に予め蓄積されているユーザ名、パスワードの組である。認証処理部３２は図９のユーザ認証情報を利用することで、画像形成装置１４から受信したユーザ名及びパスワードによるユーザ認証の認証成功又は失敗を判定する。
【００４２】
《ジョブリスト表示情報記憶部に記憶されているジョブリスト表示情報》
図１０はジョブリスト表示情報の一例の構成図である。図１０のジョブリスト表示情報は画像形成装置１４のジョブリスト表示情報記憶部５９に記憶されている。ジョブリスト表示情報は、ジョブリスト取得可能数とジョブリスト表示順序設定情報とを管理するための情報である。ジョブリスト取得可能数は１台のプリントサーバ装置１５から取得可能な印刷ジョブの数を表している。ジョブリスト取得可能数は１以上の整数が設定される。
【００４３】
ジョブリスト表示順序設定情報はジョブリストの表示順序を指定する情報である。例えばジョブリスト表示順序設定情報は、ジョブリストの表示順序を古い順や新しい順などの昇順／降順で指定される。例えば図１０のジョブリスト表示情報の場合、プリントサーバ装置１５は古い順に２つの印刷ジョブを選定し、画像形成装置１４に選定した２つの印刷ジョブを送信する。
【００４４】
《印刷ジョブ情報記憶部に記憶されている印刷ジョブ情報》
図１１〜図１３は印刷ジョブ情報の一例の構成図である。図１１の印刷ジョブ情報はプリントサーバ装置１５Ａの印刷ジョブ情報記憶部６３に記憶されているものとする。図１２の印刷ジョブ情報はプリントサーバ装置１５Ｂの印刷ジョブ情報記憶部６３に記憶されているものとする。図１３の印刷ジョブ情報はプリントサーバ装置１５Ｃの印刷ジョブ情報記憶部６３に記憶されているものとする。
【００４５】
印刷ジョブ情報は、項目としてジョブＩＤ、ユーザ名、ファイル名、日付及び時刻を有している。ジョブＩＤは印刷ジョブの識別情報の一例である。ユーザ名はユーザの識別情報の一例である。ファイル名は印刷対象の電子データの識別情報の一例である。日付及び時刻はプリントサーバ装置１５が印刷ジョブを受信した日付及び時刻を表している。印刷ジョブ情報はプリントサーバ装置１５に蓄積されている印刷ジョブを管理するための情報である。
【００４６】
＜処理の詳細＞
以下では、本実施形態に係る印刷システム１の処理の詳細について説明する。
【００４７】
《印刷ジョブを蓄積するまでの処理》
図１４は印刷ジョブを蓄積するまでの処理の一例のシーケンス図である。ステップＳ１において、管理者端末１３のジョブリスト表示情報設定部４２は管理者から画像形成装置１４に送信するジョブリスト取得可能数とジョブリスト表示順序設定情報との設定を受け付ける。ステップＳ２において、管理者端末１３の送信部４１はジョブリスト取得可能数とジョブリスト表示順序設定情報とを画像形成装置１４に送信する。
【００４８】
ステップＳ３において、画像形成装置１４の送受信部５１は管理者端末１３から送信されたジョブリスト取得可能数とジョブリスト表示順序設定情報とを受信する。ジョブリスト表示情報設定部５４は、管理者端末１３から受信したジョブリスト取得可能数とジョブリスト表示順序設定情報とをジョブリスト表示情報記憶部５９に記憶させる。
【００４９】
ステップＳ４において、クライアント端末１１の送信部２１はユーザからの印刷ジョブの蓄積要求に基づいて、ユーザ情報を含んだ（付加した）印刷ジョブをプリントサーバ装置１５Ａに送信する。
【００５０】
ステップＳ５において、プリントサーバ装置１５Ａの印刷ジョブ情報記憶部６３はクライアント端末１１から受信した印刷ジョブの詳細情報である印刷ジョブ情報を例えば図１１に示すように記憶することで、印刷ジョブを蓄積する。
【００５１】
ステップＳ６において、クライアント端末１１の送信部２１はユーザからの印刷ジョブの蓄積要求に基づいて、ユーザ情報を含んだ印刷ジョブをプリントサーバ装置１５Ｂに送信する。
【００５２】
ステップＳ７において、プリントサーバ装置１５Ｂの印刷ジョブ情報記憶部６３はクライアント端末１１から受信した印刷ジョブの詳細情報である印刷ジョブ情報を例えば図１２に示すように記憶することで、印刷ジョブを蓄積する。
【００５３】
ステップＳ８において、クライアント端末１１の送信部２１はユーザからの印刷ジョブの蓄積要求に基づいて、ユーザ情報を含んだ印刷ジョブをプリントサーバ装置１５Ｃに送信する。
【００５４】
ステップＳ９において、プリントサーバ装置１５Ｃの印刷ジョブ情報記憶部６３はクライアント端末１１から受信した印刷ジョブの詳細情報である印刷ジョブ情報を例えば図１３に示すように記憶することで、印刷ジョブを蓄積する。
【００５５】
図１４のシーケンス図ではクライアント端末１１からプリントサーバ装置１５Ａ、プリントサーバ装置１５Ｂ、プリントサーバ装置１５Ｃの順番に、印刷ジョブを送信する例を示したが、このような順番に限定するものではない。また、クライアント端末１１から同一のプリントサーバ装置１５への印刷ジョブの送信が連続して行われる場合もある。
【００５６】
《ジョブリストを表示するまでの処理》
図１５はジョブリストを表示するまでの処理の一例のシーケンス図である。ステップＳ２１において、ユーザは画像形成装置１４の操作パネル６０２を操作して例えばログイン画面の表示を要求する。
【００５７】
画像形成装置１４の表示部５２はユーザからの要求に基づき、操作パネル６０２にログイン画面を表示させる。操作部５３はユーザからログイン画面へのユーザ認証情報の入力を受け付ける。ユーザ認証情報は例えばユーザ名、パスワード等である。認証要求部５５はユーザから入力されたユーザ認証情報を認証サーバ装置１２に送信し、ユーザ認証を要求する。
【００５８】
ステップＳ２３において、認証サーバ装置１２の送受信部３１は画像形成装置１４からユーザ認証情報を受信する。認証処理部３２はユーザ認証情報記憶部３３を利用して認証処理を行う。例えば認証処理部３２は、画像形成装置１４から受信したユーザ認証情報に含まれるユーザ名、パスワードの組が、ユーザ認証情報記憶部３３にユーザ認証情報として蓄積されているときに認証成功と判定する。
【００５９】
ここでは認証成功と判定されたものとして説明を続ける。なお、認証失敗と判定された場合はステップＳ２５以降の処理が行われない。ステップＳ２４に進み、認証サーバ装置１２の送受信部３１は認証の結果として認証成功を画像形成装置１４に送信する。
【００６０】
ステップＳ２５において、画像形成装置１４のジョブリスト要求部５６は認証成功の認証結果を受けて、ジョブリスト取得可能数とジョブリスト表示順序設定情報とをジョブリスト表示情報記憶部５９から取得する。ジョブリスト要求部５６は印刷ジョブを蓄積している全てのプリントサーバ装置１５に対し、認証に成功したユーザとジョブリスト取得可能数とジョブリスト表示順序設定情報とに基づいたジョブリストを要求する。
【００６１】
つまり、ジョブリスト要求部５６は認証に成功したユーザのジョブリストを、ジョブリスト表示順序設定情報に基づいた印刷ジョブの順に、ジョブリスト取得可能数だけ取得するようにプリントサーバ装置１５に要求する。
【００６２】
例えば図１０のジョブリスト表示情報はジョブリスト取得可能数「２」及びジョブリスト表示順序設定情報「古い順」が設定されているため、１番目と２番目に古い印刷ジョブのジョブリストをプリントサーバ装置１５に要求する。
【００６３】
ステップＳ２６においてジョブリスト要求部５６はプリントサーバ装置１５Ａにジョブリストを要求する。ステップＳ２７においてジョブリスト要求部５６はプリントサーバ装置１５Ｂにジョブリストを要求する。ステップＳ２８においてジョブリスト要求部５６はプリントサーバ装置１５Ｃにジョブリストを要求する。
【００６４】
ステップＳ２９において、プリントサーバ装置１５Ａのジョブリスト選定部６２は受信したジョブリスト取得可能数とジョブリスト表示順序設定情報とに基づき、ジョブリスト取得可能数分のジョブリストを選定する。例えば図１１の印刷ジョブ情報の場合、ジョブリスト選定部６２は１番目に古いジョブＩＤ「０７」の印刷ジョブと２番目に古いジョブＩＤ「０４」の印刷ジョブのジョブリストを選定する。ステップＳ３０において、プリントサーバ装置１５Ａの送受信部６１はジョブリスト選定部６２により選定されたジョブリストを画像形成装置１４に送信する。
【００６５】
ステップＳ３１において、プリントサーバ装置１５Ｂのジョブリスト選定部６２は受信したジョブリスト取得可能数とジョブリスト表示順序設定情報とに基づき、ジョブリスト取得可能数分のジョブリストを選定する。例えば図１２の印刷ジョブ情報の場合、ジョブリスト選定部６２は１番目に古いジョブＩＤ「０４」の印刷ジョブと２番目に古いジョブＩＤ「０５」の印刷ジョブのジョブリストを選定する。ステップＳ３２において、プリントサーバ装置１５Ｂの送受信部６１はジョブリスト選定部６２により選定されたジョブリストを画像形成装置１４に送信する。
【００６６】
ステップＳ３３において、プリントサーバ装置１５Ｃのジョブリスト選定部６２は受信したジョブリスト取得可能数とジョブリスト表示順序設定情報とに基づき、ジョブリスト取得可能数分のジョブリストを選定する。例えば図１３の印刷ジョブ情報の場合、ジョブリスト選定部６２は１番目に古いジョブＩＤ「０９」の印刷ジョブと２番目に古いジョブＩＤ「０７」の印刷ジョブのジョブリストを選定する。ステップＳ３４において、プリントサーバ装置１５Ｃの送受信部６１はジョブリスト選定部６２により選定されたジョブリストを画像形成装置１４に送信する。
【００６７】
ステップＳ３０、Ｓ３２及びＳ３４におけるプリントサーバ装置１５Ａ〜１５Ｃから画像形成装置１４へのジョブリストの送信はプリントサーバ装置１５Ａ〜１５Ｃに応じて非同期に行われる。
【００６８】
ステップＳ３５において、画像形成装置１４の表示部５２はジョブリストを要求したプリントサーバ装置１５Ａ〜１５Ｃからジョブリストを受信したあと、例えば図１６に示すようにジョブリストを表示する。
【００６９】
図１６はジョブリスト画面の一例のイメージ図である。図１６のジョブリスト画面はプリントサーバ装置１５Ａ〜１５Ｃから受信した順番にジョブリストを表示している。例えば図１６のジョブリスト画面はプリントサーバ装置１５Ａから受信したジョブリストが一番上に表示されている。また、図１６のジョブリスト画面は真ん中にプリントサーバ装置１５Ｂから受信したジョブリストが表示され、一番下にプリントサーバ装置１５Ｃから受信したジョブリストが表示されている。
【００７０】
図１６のジョブリスト画面からユーザは「並び替えボタン」を押下することで、ジョブリストの整列を要求できる。並び替えボタンが押下されると、ジョブリスト整列処理部５７はステップＳ３０、Ｓ３２及びＳ３４において受信したジョブリストを図１７に示すように古い順に整列し直す。
【００７１】
図１７は整列し直したジョブリスト画面の一例のイメージ図である。図１７のジョブリスト画面では受信したプリントサーバ装置１５Ａ〜１５Ｃによらずに、日付及び時刻により古い順にジョブリストが整列し直されている。表示部５２は古い順にジョブリストを整列し直した図１７のジョブリストを表示する。
【００７２】
《ジョブリストを取得し直して表示するまでの処理》
図１６又は図１７の「新しい順ボタン」を押下することで、ユーザはプリントサーバ装置１５から図１５のシーケンス図と異なる条件（新しい順）でジョブリストを取得し直したあと、再度、ジョブリストを表示できる。図１８はジョブリストを取得し直して表示するまでの処理の一例のシーケンス図である。
【００７３】
ステップＳ６１において、ユーザは画像形成装置１４の操作パネル６０２を操作して例えば図１６又は図１７の「新しい順ボタン」を押下する。図１６又は図１７の新しい順ボタンはジョブリスト表示順序変更ボタンの一例である。ステップＳ６２において、ジョブリスト表示情報設定部５４はジョブリスト表示情報記憶部５９に記憶されているジョブリスト表示順序設定情報を「新しい順」に更新する。
【００７４】
ジョブリスト要求部５６は印刷ジョブを蓄積している全てのプリントサーバ装置１５に対し、認証に成功したユーザとジョブリスト取得可能数とジョブリスト表示順序設定情報とに基づいたジョブリストを要求する。
【００７５】
つまり、ジョブリスト要求部５６は認証に成功したユーザのジョブリストを、ジョブリスト表示順序設定情報に基づいた印刷ジョブの順に、ジョブリスト取得可能数だけ取得するようにプリントサーバ装置１５に要求する。
【００７６】
例えばジョブリスト表示情報は、ジョブリスト取得可能数「２」及びジョブリスト表示順序設定情報「新しい順」が設定されているため、１番目と２番目に新しい印刷ジョブのジョブリストをプリントサーバ装置１５に要求する。
【００７７】
ステップＳ６３においてジョブリスト要求部５６はプリントサーバ装置１５Ａにジョブリストを要求する。ステップＳ６４において、プリントサーバ装置１５Ａのジョブリスト選定部６２は受信したジョブリスト取得可能数とジョブリスト表示順序設定情報とに基づき、ジョブリスト取得可能数分のジョブリストを選定する。例えば図１１の印刷ジョブ情報の場合、ジョブリスト選定部６２は１番目に新しいジョブＩＤ「０１」の印刷ジョブと２番目に新しいジョブＩＤ「０４」の印刷ジョブのジョブリストを選定する。ステップＳ６５において、プリントサーバ装置１５Ａの送受信部６１はジョブリスト選定部６２により選定されたジョブリストを画像形成装置１４に送信する。
【００７８】
ステップＳ６６において画像形成装置１４のジョブリスト要求部５６はプリントサーバ装置１５Ｂにジョブリストを要求する。ステップＳ６７において、プリントサーバ装置１５Ｂのジョブリスト選定部６２は受信したジョブリスト取得可能数とジョブリスト表示順序設定情報とに基づき、ジョブリスト取得可能数分のジョブリストを選定する。例えば図１２の印刷ジョブ情報の場合、ジョブリスト選定部６２は１番目に新しいジョブＩＤ「０７」の印刷ジョブと２番目に新しいジョブＩＤ「０９」の印刷ジョブのジョブリストを選定する。ステップＳ６８において、プリントサーバ装置１５Ｂの送受信部６１はジョブリスト選定部６２により選定されたジョブリストを画像形成装置１４に送信する。
【００７９】
ステップＳ６９において画像形成装置１４のジョブリスト要求部５６はプリントサーバ装置１５Ｃにジョブリストを要求する。ステップＳ７０において、プリントサーバ装置１５Ｃのジョブリスト選定部６２は受信したジョブリスト取得可能数とジョブリスト表示順序設定情報とに基づき、ジョブリスト取得可能数分のジョブリストを選定する。例えば図１３の印刷ジョブ情報の場合、ジョブリスト選定部６２は１番目に新しいジョブＩＤ「０５」の印刷ジョブと２番目に新しいジョブＩＤ「０１」の印刷ジョブのジョブリストを選定する。ステップＳ７１において、プリントサーバ装置１５Ｃの送受信部６１はジョブリスト選定部６２により選定されたジョブリストを画像形成装置１４に送信する。
【００８０】
ステップＳ６５、Ｓ６８及びＳ７１におけるプリントサーバ装置１５Ａ〜１５Ｃから画像形成装置１４へのジョブリストの送信はプリントサーバ装置１５Ａ〜１５Ｃに応じて非同期に行われる。
【００８１】
ステップＳ７２において、画像形成装置１４の表示部５２はジョブリストを要求したプリントサーバ装置１５Ａ〜１５Ｃからジョブリストを受信したあと、例えば図１９に示すようにジョブリストを表示する。
【００８２】
図１９はジョブリスト画面の一例のイメージ図である。図１９のジョブリスト画面はプリントサーバ装置１５Ａ〜１５Ｃから受信した順番にジョブリストを表示している。例えば図１９のジョブリスト画面はプリントサーバ装置１５Ａから受信したジョブリストが一番上に表示されている。また、図１９のジョブリスト画面は真ん中にプリントサーバ装置１５Ｂから受信したジョブリストが表示され、一番下にプリントサーバ装置１５Ｃから受信したジョブリストが表示されている。
【００８３】
図１９のジョブリスト画面からユーザは「並び替えボタン」を押下することで、ジョブリストの整列を要求できる。並び替えボタンが押下されると、ジョブリスト整列処理部５７はステップＳ６５、Ｓ６８及びＳ７１において受信したジョブリストを図２０に示すように古い順に整列し直す。
【００８４】
図２０は整列し直したジョブリスト画面の一例のイメージ図である。図２０のジョブリスト画面では受信したプリントサーバ装置１５Ａ〜１５Ｃによらずに、日付及び時刻により古い順にジョブリストが整列し直されている。表示部５２は古い順にジョブリストを整列し直した図２０のジョブリストを表示する。
【００８５】
図１６、図１７、図１９及び図２０に示したジョブリスト画面はプリントサーバ装置１５から受信したジョブリストを一度に表示できる例を示している。例えばジョブリスト取得可能数を大きい場合や、印刷ジョブを蓄積しているプリントサーバ装置１５の台数が多い場合には、プリントサーバ装置１５から受信したジョブリストを一度にジョブリスト画面に表示できないことがある。
【００８６】
この場合、画像形成装置１４はユーザからスワイプ操作（画面に指を触れたまま特定の方向になでる操作）などによりスクロール操作を受け付け、プリントサーバ装置１５から受信したジョブリストを順次表示してもよい。
【００８７】
また、画像形成装置１４は図２１のジョブリスト画面に示すように、プリントサーバ装置１５から受信したジョブリストを順次表示する操作をユーザから受け付ける「次へボタン」及び「戻るボタン」を設けるようにしてもよい。
【００８８】
なお、スワイプ操作や「次へボタン」による操作をユーザから受け付ける場合は一番下のジョブリストが表示された状態で、更に下のジョブリストの表示する操作がユーザにより行われると、画像形成装置１４は次のように処理を行う。
【００８９】
例えば図１８のシーケンス図の場合、画像形成装置１４のジョブリスト要求部５６はステップＳ６５、Ｓ６８及びＳ７１において受信したジョブリストの続きを受信できるようにプリントサーバ装置１５Ａ〜１５Ｃに要求する。画像形成装置１４の表示部５２はプリントサーバ装置１５Ａ〜１５Ｃから受信した一番下のジョブリスト以降のジョブリストを表示できる。
【００９０】
画像形成装置１４は例えば図２１の「古い順ボタン」や「新しい順ボタン」などの条件を指定したジョブリストの取得要求やプリントサーバ装置１５から受信したジョブリストの続きを指定したジョブリストの取得要求をユーザから受け付けることができる。
【００９１】
このように画像形成装置１４は図２１等のジョブリスト画面から条件を指定したジョブリストの取得、同一条件での続きのジョブリスト取得、取得済みのジョブリストの整列の要求をユーザから受け付けることができる。
【００９２】
なお、本実施形態ではジョブリスト表示順序設定情報の一例として「古い順」及び「新しい順」を示したが、例えば五十音順やアルファベット順の昇順及び降順、データ量の多い及び少ないなど、様々な条件を設定できるようにしてもよい。ジョブリスト表示順序設定情報はジョブリスト表示順序を変更できる如何なる条件であってもよい。
【００９３】
＜ソフトウェア構成の他の例＞
《画像形成装置》
図７に示した画像形成装置１４は例えば図２２に示した画像形成装置１４及び情報表示装置１６により実現してもよい。図２２は本実施形態に係る画像形成装置の他の例の処理ブロック図である。図２２は図７の画像形成装置１４を構成する各処理ブロックを画像形成装置１４と情報表示装置１６とに分けて配置している。
【００９４】
画像形成装置１４と情報表示装置１６とはケーブルによる有線又は無線によりデータ通信可能に接続されている。画像形成装置１４と情報表示装置１６とはBluetooth（登録商標）や赤外線等の近距離無線を利用して直接アクセスしてもよいし、ＬＡＮなどのネットワークを介してアクセスしてもよい。
【００９５】
情報表示装置１６は例えばコントローラ、ハードキー、液晶タッチパネルなどを有する構成の情報処理装置で実現してもよい。また、情報表示装置１６はスマートフォンやタブレット等の情報処理装置で実現してもよい。
【００９６】
情報表示装置１６はプログラムを実行することにより送受信部７１、表示部７２、操作部７３、ジョブリスト表示情報設定部７４、認証要求部７５、ジョブリスト要求部７６、ジョブリスト整列処理部７７、ジョブリスト表示情報記憶部７８を実現している。画像形成装置１４はプログラムを実行することで送受信部５１、出力部５８を実現している。
【００９７】
なお、図２２の画像形成装置１４及び情報表示装置１６の各処理ブロックは図７と同様であるため、説明を省略する。図２２の構成によれば、情報表示装置１６は直接又は画像形成装置１４を介して、認証サーバ装置１２、管理者端末１３、プリントサーバ装置１５とデータ通信を行うことができる。
【００９８】
情報表示装置１６は管理者端末１３からジョブリスト取得可能数とジョブリスト表示順序設定情報とを受信し、そのジョブリスト取得可能数とジョブリスト表示順序設定情報とに基づいたジョブリストをプリントサーバ装置１５に要求できる。したがって、情報表示装置１６はプリントサーバ装置１５から受信したジョブリストを前述したように表示することができる。
【００９９】
＜まとめ＞
本実施形態に係る印刷システム１では、ジョブリスト取得可能数とジョブリスト表示順序設定情報とに基づくジョブリストを、画像形成装置１４から印刷ジョブを蓄積している全てのプリントサーバ装置１５に対して要求する。その後、画像形成装置１４はプリントサーバ装置１５から受信した順番にジョブリストを表示する。
【０１００】
ユーザは「並び替えボタン」を押下することによりプリントサーバ装置１５から取得したジョブリストの範囲内で画像形成装置１４に表示されているジョブリストの順番を古い順などの条件で整列させることもできる。
【０１０１】
ユーザは画像形成装置１４に表示されているジョブリストに所望の印刷ジョブが含まれていない場合、例えば「新しいボタン」などの異なる条件のボタンを押下することにより異なる条件でプリントサーバ装置１５から取得し直したジョブリストを表示できる。
【０１０２】
したがって、本実施形態に係る印刷システム１によれば、ジョブリスト取得可能数以上の印刷ジョブがプリントサーバ装置１５に蓄積されていたときも、ユーザが所望する印刷ジョブを含むジョブリストの表示が容易となる。
【０１０３】
本発明は、具体的に開示された上記の実施形態に限定されるものではなく、特許請求の範囲から逸脱することなく、種々の変形や変更が可能である。
【０１０４】
なお、画像形成装置１４はジョブ処理装置の一例である。表示部５２は表示手段の一例である。ジョブリスト要求部５６はジョブ一覧要求手段の一例である。ジョブリスト整列処理部５７は整列処理手段の一例である。
【０１０５】
印刷システム１は情報処理システムの一例である。ジョブリスト選定部６２はジョブ一覧選定手段の一例である。プリントサーバ装置１５は情報蓄積装置の一例である。ジョブリストはジョブ一覧の一例である。
【符号の説明】
【０１０６】
１      印刷システム
１１    クライアント端末
１２    認証サーバ装置
１３    管理者端末
１４    画像形成装置
１５、１５Ａ〜１５Ｃ    プリントサーバ装置
２１    送信部
３１    送受信部
３２    認証処理部
３３    ユーザ認証情報記憶部
４１    送信部
４２    ジョブリスト表示情報設定部
５１、７１    送受信部
５２、７２    表示部
５３、７３    操作部
５４、７４    ジョブリスト表示情報設定部
５５、７５    認証要求部
５６、７６    ジョブリスト要求部
５７、７７    ジョブリスト整列処理部
５８    出力部
５９、７８    ジョブリスト表示情報記憶部
６１    送受信部
６２    ジョブリスト選定部
６３    印刷ジョブ情報記憶部
５００    コンピュータ
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
６０１    コントローラ
６０２    操作パネル
６０３    外部Ｉ／Ｆ
６０４    通信Ｉ／Ｆ
６０５    プリンタ
６０６    スキャナ
６１１    ＣＰＵ
６１２    ＲＡＭ
６１３    ＲＯＭ
６１４    ＮＶＲＡＭ
６１５    ＨＤＤ
Ｂ    バス
Ｎ１    ネットワーク
【先行技術文献】
【特許文献】
【０１０７】
【特許文献１】特開２００６−８５６１５号公報
【図１】
2015191651.tif 000003
【図２】
2015191651.tif 000004
【図３】
2015191651.tif 000005
【図４】
2015191651.tif 000006
【図５】
2015191651.tif 000007
【図６】
2015191651.tif 000008
【図７】
2015191651.tif 000009
【図８】
2015191651.tif 000010
【図９】
2015191651.tif 000011
【図１０】
2015191651.tif 000012
【図１１】
2015191651.tif 000013
【図１２】
2015191651.tif 000014
【図１３】
2015191651.tif 000015
【図１４】
2015191651.tif 000016
【図１５】
2015191651.tif 000017
【図１６】
2015191651.tif 000018
【図１７】
2015191651.tif 000019
【図１８】
2015191651.tif 000020
【図１９】
2015191651.tif 000021
【図２０】
2015191651.tif 000022
【図２１】
2015191651.tif 000023
【図２２】
2015191651.tif 000024